(57)【特許請求の範囲】
【請求項１】
空気通路を形成する空調ケース（２）と、
前記空調ケース（２）内に送風空気を圧送する送風手段（６）と、
前記空調ケース（２）内に配設され、前記送風手段（６）から送風された空気を冷却する蒸発器（８）と、
一端が車両のダッシュパネル（１７）を介して車室外部の冷媒配管と接続され、他端が前記蒸発器（８）に接続された冷媒配管（８１、８２）とを備え、
車両のインストルメントパネルの下方に配置される車両用空調装置の空調ユニットにおいて、
前記蒸発器（８）が配設される空気通路（２３ａ）を形成する前記空調ケース（２）の側面に、前記冷媒配管（８１、８２）を収納する配管収納部（２５）が形成されており、
前記配管収納部（２５）は、車室内および前記空気通路（２３ａ）から気密的に区画されており、
前記配管収納部（２５）に収納され、かつ前記蒸発器（８）との接続部から前記ダッシュパネル（１７）まで延びる前記冷媒配管（８１、８２）の外周面が空気層を介して覆われており、
前記配管収納部（２５）の前記ダッシュパネル（１７）側には、前記車室内と前記配管収納部（２５）とを気密的に区画する突出部（２７）が設けられ、
前記突出部（２７）の内側には、前記冷媒配管（８１、８２）の先端側が貫通し、前記冷媒配管（８１、８２）と隙間を有する貫通孔（８１ａ、８２ａ）が形成されており、
前記配管収納部（２５）および前記突出部（２７）は、前記冷媒配管（８１、８２）から滴下した結露水が前記貫通孔（８１ａ、８２ａ）および前記ダッシュパネル（１７）を介して車室外に流れるように形成されていることを特徴とする車両用空調装置の空調ユニット。
【請求項２】
前記空調ケース（２）には、前記空気通路（２３ａ）と前記配管収納部（２５）とを気密的に区画する仕切り板（２６）が設けられ、
前記配管収納部（２５）および前記仕切り板（２６）は、前記空調ケース（２）に一体的に形成されていることを特徴とする請求項１に記載の車両用空調装置の空調ユニット。
【請求項３】
前記空調ケース（２）の空気通路の一部は、前記空調ケース（２）から着脱可能な小ケース部（２２）として形成され、
前記配管収納部（２５）は、前記小ケース部（２２）の側面に形成され、
前記小ケース部（２２）には、前記空気通路（２３ａ）に配設される蒸発器（８）と、前記配管収納部（２５）に収納される前記冷媒配管（８１、８２）とが配置されていることを特徴とする請求項１または請求項２に記載の車両用空調装置の空調ユニット。
【請求項４】
前記冷媒配管（８１、８２）と前記蒸発器（８）との間には、膨張弁（８３）が接続されており、
前記配管収納部（２５）は、前記膨張弁（８３）を含めた前記冷媒配管（８１、８２）を覆う形状に形成されていることを特徴とする請求項１乃至請求項３のいずれか一項に記載の車両用空調装置の空調ユニット。
【発明の詳細な説明】
【技術分野】
【０００１】
本発明は、車両のインストルメントパネルの下方に配置される車両用空調装置の空調ユニットに関するものであり、空調ケース内に配設される蒸発器及びそれに接続される冷媒配管の収納に関する。
【背景技術】
【０００２】
従来、この種の車両用空調装置の空調ユニットとして、例えば、特許文献１に示されるものが知られている。すなわち、特許文献１における空調ユニットは、空調ケースから蒸発器及びそれに接続される冷媒配管を取り付け、取り外しができるように構成されている。
【０００３】
そのため、蒸発器と冷媒配管は、蒸発器に一体的に組み合わされている。また、空調ケースの側面部には、蒸発器を脱着するための脱着口部が形成され、この脱着口部にカバーが脱着可能に被されている。さらに、空調ケースの上面部と蒸発器の上面部との間には、隙間が形成されている。そして、その隙間を塞ぐためのシール部材が設けられている。このシール部材は、カバーに一体に形成されている。つまり、カバーを脱着口部から外すことにより、シール部材が同時に取り外される。
【０００４】
このような構成により、蒸発器を取り付けるとき、もしくは取り外すときに、蒸発器を隙間に移動させることにより、蒸発器を空調ケースから容易に脱着することができる。
【特許文献１】特開平６−１２７２６１号公報
【発明の開示】
【発明が解決しようとする課題】
【０００５】
しかしながら、特許文献１の空調ケースのカバーには、送風空気を蒸発器の空気通路に取り入れるための通風口が形成されている。そして、通風口から取り入れた送風空気を蒸発器のみに流すように冷媒配管側を断熱カバー等によりシールしている。
【０００６】
このように、蒸発器と冷媒配管とを一体的に組み合わせて、空調ケース内に収納させるためには、冷媒配管側にシールするためのシール材もしくは結露防止のための断熱カバー等の付帯部品が必要となっている。このため、部品点数が増えるとともに、組付け工数が増加して製造コストが上昇する問題がある。
【０００７】
上記構成の他に、空調ケースの外側に冷媒配管を配設する構成にすると、車室内に冷媒配管が露出するため、断熱カバー、保護カバーや配管固定部材等が必要となる。このため、製造コストが上昇する問題がある。
【０００８】
本発明の目的は、製造コストの低減が図れる車両用空調装置の空調ユニットを提供することにある。
【課題を解決するための手段】
【０００９】
上記目的を達成するために、以下の技術的手段を採用する。すなわち、請求項１に記載の発明では、空気通路を形成する空調ケース（２）と、この空調ケース（２）内に送風空気を圧送する送風手段（６）と、空調ケース（２）内に配設され、送風手段（６）から送風された空気を冷却する蒸発器（８）と、一端が車両のダッシュパネル（１７）を介して車室外部の冷媒配管と接続され、他端が蒸発器（８）に接続された冷媒配管（８１、８２）とを備え、車両のインストルメントパネルの下方に配置される車両用空調装置の空調ユニットにおいて、
蒸発器（８）が配設される空気通路（２３ａ）を形成する空調ケース（２）の側面に、冷媒配管（８１、８２）を収納する配管収納部（２５）が形成されており、この配管収納部（２５）は、車室内および空気通路（２３ａ）と気密的に区画されており、配管収納部（２５）に収納され、かつ蒸発器（８）との接続部からダッシュパネル（１７）まで延びる冷媒配管（８１、８２）の外周面が空気層を介して覆われており、
配管収納部（２５）のダッシュパネル（１７）側には、車室内と配管収納部（２５）とを気密的に区画する突出部（２７）が設けられ、突出部（２７）の内側には、冷媒配管（８１、８２）の先端側が貫通し、冷媒配管（８１、８２）と隙間を有する貫通孔（８１ａ、８２ａ）が形成されており、配管収納部（２５）および突出部（２７）は、冷媒配管（８１、８２）から滴下した結露水が貫通孔（８１ａ、８２ａ）およびダッシュパネル（１７）を介して車室外に流れるように形成されていることを特徴としている。
【００１０】
この発明によれば、車室内および空気通路（２３ａ）と気密された配管収納部（２５）が形成されたことにより、配管収納部（２５）内の空気は、配管収納部（２５）外と気密しているため、冷媒配管（８１、８２）に付着する結露水の発生を少なくすることができる。これにより、配管収納部（２５）内には、断熱カバー不要の冷媒配管（８１、８２）を収納できる。
【００１１】
また、車室内に対し、冷媒配管（８１、８２）が配管収納部（２５）により覆われるため冷媒配管（８１、８２）の保護カバーを不要にできる。これにより、部品点数が低減できるとともに、製造コストの低減が図れる。
また配管収納部（２５）内では、結露水の発生が極めて少ないが、仮に配管収納部（２５）内に冷媒配管（８１、８２）から結露水が滴下しても、貫通孔（８１ａ、８２ａ）およびダッシュパネル（１７）を介して車室外に流れるため、車室内に漏れ出すことはない。
【００１２】
請求項２に記載の発明では、空調ケース（２）には、空気通路（２３ａ）と配管収納部（２５）とを気密的に区画する仕切り板（２６）が設けられ、配管収納部（２５）および仕切り板（２６）は、空調ケース（２）に一体的に形成されていることを特徴としている。
【００１３】
この発明によれば、配管収納部（２５）および仕切り板（２６）を空調ケース（２）に容易に一体成形により形成することができる。これにより、製造コストの低減が図れる。
【００１６】
請求項３に記載の発明では、空調ケース（２）の空気通路の一部は、空調ケース（２）から着脱可能な小ケース部（２２）として形成され、配管収納部（２５）は、小ケース部
（２２）の側面に形成され、小ケース部（２２）には、空気通路（２３ａ）に配設される蒸発器（８）と、配管収納部（２５）に収納される冷媒配管（８１、８２）とが配置されていることを特徴としている。この発明によれば、空調ユニットへの蒸発器（８）の取り付け、および空調ユニットからの蒸発器（８）の取り外しを容易に行うことができる。
【００１７】
請求項４に記載の発明では、冷媒配管（８１、８２）と蒸発器（８）との間には、膨張弁（８３）が接続されており、配管収納部（２５）は、膨張弁（８３）を含めた冷媒配管
（８１、８２）を覆う形状に形成されていることを特徴としている。
【００１８】
この発明によれば、結露防止のための断熱カバーを膨張弁（８３）に設けると、その膨張弁（８３）と蒸発器（８）および冷媒配管（８１、８２）との接続部の設置スペースが大きくなる欠点があるが、前述したように、配管収納部（２５）とその外部とが気密された配管収納部（２５）内では、断熱カバーを設けることがないため、接続部の設置スペースを小さくすることができる。これにより、製造コストの低減が図れる。
【００１９】
なお、上記各手段の括弧内の符号は、後述する実施形態の具体的手段との対応関係を示すものである。
【発明を実施するための最良の形態】
【００２０】
以下、一実施形態における車両用空調装置の空調ユニットを図１乃至図７に基づいて説明する。図１は、空調ユニットの全体構成を示す模式図である。図２は、車両に搭載される空調ユニットの概略構成を示す側面図である。
【００２１】
図３は、車両に搭載される空調ユニットの概略構成を示す正面図である。図４は、図２に示すＡ−Ａ部分断面図である。図５は、図２に示すＢ矢視図である。図６は、小ケース部の構成を示す平面図である。図７は、蒸発器を小ケース部に取り付けたときの空調ユニットの分解構成図である。
【００２２】
本実施形態の空調ユニット１では、蒸発器８及びそれに接続される冷媒配管８１、８２を、空調ケース２への取り付けおよび空調ケース２から取り外しが容易にできるように構成されている。そのため、蒸発器８と冷媒配管８１、８２は、蒸発器８に一体的に組み合わされている。ここでは、蒸発器８を取り付けた状態の空調ユニット１の構成について説明する。
【００２３】
本実施形態の空調ユニット１は、図１に示すように、空気通路を形成する空調ケース２を備えている。空調ケース２の上流側部位には、車室内の空気を吸込む内気吸込口３、車室外の空気を吸込む外気吸込口４、両吸込口３、４を選択的に開閉する内外気切替ドア５が設けられている。
【００２４】
更に、この内外気切替ドア５の下流側には、空調ケース２内に送風空気を圧送する送風手段としての送風機６が設けられている。送風機６は、図示しないファンケース、ファン、ファンモータからなっている。送風機６の下流側には、空調ケース２において、上述したように、空調ケース２内を流れる空気を冷却する蒸発器８が設けられている。蒸発器８は、図示しないコンプレッサ、コンデンサ、レシーバおよび膨張弁８３（図２参照）とともに、周知の冷凍サイクルを構成する冷却用熱交換器である。
【００２５】
そして、蒸発器８の下流側には、加熱用熱交換器としてのヒータコア９およびエアミックスドア１０が設けられている。ヒータコア９は、図示しないエンジンの冷却水を熱源とする加熱用熱交換器で、空調ケース２内に流れる空気を加熱するためのものである。また、エアミックスドア１０は、蒸発器８を通過した送風空気のうち、ヒータコア９を通過して加熱される風量と、ヒータコア９をバイパスする風量との割合を調節することにより、車室内への吹出空気の吹出温度を調節するようになっている。
【００２６】
そして、ヒータコア９の下流側には、車室内乗員の上半身に向けて風を吹き出すフェイス吹出開口部１１、車室内乗員の足元に向けて風を吹き出すフット吹出開口部１２、車両の前面窓ガラス内面に向けて風を吹き出すデフロスタ吹出開口部１３がそれぞれ設けられている。
【００２７】
また、フェイス吹出開口部１１およびデフロスタ吹出開口部１３の上流側には、フェイスデフロスタドア１４が設けられ、フット吹出開口部１２の上流側には、フットドア１５が設けられている。フェイス吹出開口部１１およびデフロスタ吹出開口部１３は、フェイスデフロスタドア１４により開閉されるようになっている。フット吹出開口部１２は、フットドア１５により開閉されるようになっている。
【００２８】
フェイス吹出開口部１１は、図示しないフェイスダクトおよびサイドフェィスダクトを介してフェイス吹出口およびサイドフェイス吹出口に接続されている。このフェイス吹出口およびサイドフェイス吹出口から、乗員の上半身に向けて風が吹き出される。
【００２９】
デフロスタ吹出開口部１３は、図示しないデフロスタダクトを介してデフロスタ吹出口に接続されている。このデフロスタ吹出口から、車両の前面窓ガラスの内面に向けて風が吹き出される。フット吹出開口部１２は、図示しないフットダクトを介してフット吹出口に接続されている。このフット吹出口から、乗員の足元に向けて風が吹き出される。
【００３０】
ここで、空気通路を形成する空調ケース２は、ポリプロピレンのような、ある程度の弾性を有し、強度的にも優れた樹脂の成形品からなっている。空調ケース２は、複数の分割ケースからなっており、複数の分割ケースは、空気通路内に配設される蒸発器８、ヒータコア９等の空調用熱交換器および制御ドア１０、１４、１５等の機器を収納した後に、金属バネクリップ、ネジ等の締結手段により、一体的に結合されている。
【００３１】
ところで、図１中に示す２点鎖線で囲まれた符号２２は、空調ケース２内に形成される空気通路の一部であり、本実施形態では小ケース部と呼んでいる。この小ケース部２２は、空調ケース２から着脱可能となるように構成している。つまり、空調ケース２は、図２および図３に示すように、図示しない内外気切替箱と、上ケース２１と、小ケース部２２の３分割されたケース部分から構成されている。
【００３２】
上ケース２１の空気流れ上流側、即ちファンケースの上流側は、図示しない内外気切替箱に接続されている。前述した通り、内外気切替箱には、内気吸込口３、外気吸込口４および内外気切替ドア５が設けられている。また、内外気切替箱は、車室内の計器盤（インストルメントパネル）下方部のうち、中央部から助手席にオフセットして配置されている。
【００３３】
これに対し、上ケース２１および小ケース部２２は、車室内の計器盤（インストルメントパネル）下方部のうち、車両左右方向の略中央部に配置されている。そして、上ケース２１には、送風機６、ヒータコア９および制御ドア１０、１４、１５等を収納できるように形成されている。送風機６は、車両後方側の上方に配置され、ヒータコア９は、車両前方側の上下方向のほぼ中央に配置されている。
【００３４】
また、送風機６とヒータコア９との間には、蒸発器８を通過した送風空気の空気通路が形成されている。また、ヒータコア９の車両後方側には、エアミックスドア１０が配設されている。このエアミックスドア１０は、前述したように、蒸発器８を通過した送風空気のうち、ヒータコア９を通過して加熱される風量と、ヒータコア９をバイパスする風量との割合を調節している。
【００３５】
また、上ケース２１には、ヒータコア９と送風機６との間の上方に各吹出開口部１１、１２、１３が形成されている。フェイス吹出開口部１１は、送風機６の上方にて、車両後方側が開口するように形成されている。デフロスタ吹出開口部１３は、フェイス吹出開口部１１と対向する位置に、車両前方側が開口するように形成されている。フット吹出開口部１２は、上ケース２１の側壁に形成されている。
【００３６】
小ケース部２２は、空調ユニット１の底部となる部分に相当し、その上方に上ケース２１を重ね合わせるように構成している。図２および図３中に示す符号２４は、小ケース部２２に形成されたドレン口であり、小ケース部２２は、このドレン口２４が最下方になるように形成されている。ドレン口２４の先端が、ダッシュパネル１７よりも車室外に突き出されており、結露水が外部に排出される。
【００３７】
更に、図２および図３中に示す符号２５は、上ケース２１および小ケース部２２の側面に形成された配管収納部であり、蒸発器８に接続される冷媒配管８１、８２および膨張弁８３を収納できるように形成されている。この配管収納部２５は、上ケース２１および小ケース部２２の側方の一端側が、外方に膨らむように形成される。
【００３８】
この膨らみは、上ケース２１と小ケース部２２との分割面に形成されている。つまり、上ケース２１と小ケース部２２とを重ね合わせることにより、配管収納部２５が形成される。小ケース部２２の分割面には、膨らみ部２５ａが形成され、上ケース２１の分割面には、中央部近傍に膨らみ部２５ｂ及び車両前方端側に膨らみ部２５ｃが形成されている。
【００３９】
小ケース部２２の膨らみ部２５ａと上ケース２１の膨らみ部２５ｂとの間に形成される配管収納部２５には、蒸発器８に接続される膨張弁８３およびその膨張弁８３に接続される冷媒配管８１、８２が収納される。膨張弁８３は、蒸発器８の側方に設けられ、その下方に冷媒配管８１、８２が接続されている。膨張弁８３は、上ケース２１と小ケース部２２との分割面に沿って配設されている。
【００４０】
つまり、小ケース部２２に形成される膨らみ部２５ａは、蒸発器８及び膨張弁８３の接続部からダッシュパネル１７まで延びる冷媒配管８１、８２の外周面を、空気層を介して覆うように形成されている。そして、小ケース部２２の膨らみ部２５ａと上ケース２１の膨らみ部２５ｃとの間に形成される配管収納部２５には、冷媒配管８１、８２のダッシュパネル１７側の先端側が収納される。そして、膨らみ部２５ａおよび膨らみ部２５ｃの末端、即ち車両前方端が、ダッシュパネル１７側に突き出した環状の突出部２７（後述する）が形成されている。
【００４１】
ところで、小ケース部２２は、送風機６から吐出された送風空気を、ヒータコア９およびエアミックスドア１０側に流すための空気通路を形成している。小ケース部２２は、送風機６により車両後方側の下方に向けて吹き出された送風空気が、小ケース部２２の底面を車両前方側に沿って流れ、その上方に配設された蒸発器８に向けて導くように形成されている。
【００４２】
小ケース部２２は、図６に示すように、車両上方側端部（即ち、上ケースの車両下方側端部と結合される分割面）が空気通路を形成するために開口されている。前述の通り、小ケース部２２の上方側には、蒸発器８、膨張弁８３及びその膨張弁８３に接続される冷媒配管８１、８２を収納するための収納空間２３が形成されている。収納空間２３は、図６中に示す２点鎖線で囲まれた部分に相当している。収納空間２３に対して、車両後方側に形成された開口部２２ａは、送風機６から吐出された送風空気が流れる空調通路である。
【００４３】
また、図６中に示す符号２６は、収納空間２３における空気通路２３ａと配管収納部２５とを区画する仕切り板である。つまり、空気通路２３ａは、蒸発器８の通風部分に相当するコア部（図示せず）が配設される部分である。配管収納部２５は、前述したように、膨張弁８３及びその膨張弁８３に接続される冷媒配管８１、８２を収納するスペースである。
【００４４】
そして、小ケース部２２の空気通路２３ａおよび仕切り板２６に対応する上ケース２１の分割面の位置には、図４に示すように、空気通路２３ａおよび仕切り板２６が形成されている。その仕切り板２６には、蒸発器８の接続部と膨張弁８３とを接続するための接続配管を貫通させる貫通孔２６ａが設けられている。貫通孔２６ａは、小ケース部２２および上ケース２１のそれぞれの仕切り板２６に半円状に形成されている。
【００４５】
貫通孔２６ａには、シール部材８５を介して、空気通路２３ａと配管収納部２５とが気密的に区画される。これにより、蒸発器８を流れる送風空気が、配管収納部２５側に漏れることがない。また、小ケース部２２に形成される空気通路２３ａおよび仕切り板２６は、小ケース部２２に一体的に形成され、同じように、上ケース２１に形成される空気通路２３ａおよび仕切り板２６は、上ケース２１に一体的に形成されている。
【００４６】
また、図６中に示す符号８１ａ、８２ａは、冷媒配管８１、８２のダッシュパネル１７側の先端を支持する貫通孔であり、突出部２７の中央（上ケース２１と小ケース部２２との分割面）に形成されている。この貫通孔８１ａ、８２ａに対応する位置であって、上ケース２１の分割面にも、貫通孔８１ａ、８２ａが形成されている（図５参照）。貫通孔８１ａ、８２ａは、それぞれ半円状に形成されている。
【００４７】
また、貫通孔８１ａ、８２ａは、冷媒配管８１、８２の径よりも少しだけ太めに形成されている。つまり、小ケース部２２の膨らみ部２５ａ内に冷媒配管８１、８２から結露水が滴下したときに、その結露水が貫通孔８１ａ、８２ａおよびダッシュパネル１７の孔部１７ａ（図２参照）を介してエンジンルーム内に流れるようになっている。
【００４８】
ところで、この貫通孔８１ａ、８２ａは、冷媒配管８１、８２の径よりも大きめになっているため僅かな隙間が発生するが、配管収納部２５内の空気が外部の空気と入れ替わるほどの隙間ではない。そのため、この隙間から配管収納部２５内に外部の湿り空気が侵入することがない。従って、貫通孔８１ａ、８２ａに冷媒配管８１、８２が設置されることにより、配管収納部２５が車室内とほぼ気密的に区画される。
【００４９】
一方、突出部２７の一端面は、図５に示すように、略四角丸状の環状に形成されている。突出部２７は、前述したように、膨らみ部２５ａおよび膨らみ部２５ｃの車両前方端に形成されている。突出部２７の端面中央部には、ジョイント８４を収納するジョイント穴８４ａが形成されている。
【００５０】
突出部２７は、ジョイント８４の外周縁がダッシュパネル１７面にパッキン材１９を介して当接するように形成されている。また、ジョイント８４には、冷媒配管８１、８２のダッシュパネル１７側の先端が接合されている。そして、ジョイント８４は、ダッシュパネル１７に固定されたジョイント１８に、図示しない締結部材により固定されている。
【００５１】
ジョイント１８は、エンジンルーム内に搭載された冷凍サイクル装置の機能部品に接続された車室外部の冷媒配管との接続金具である。以上のような構成の突出部２７により、突出部２７の端面、即ちジョイント８４の外周縁が、パッキン材１９を介してダッシュパネル１７面に、押し付けられるように取り付けられて、配管収納部２５と車室内とが気密される。
【００５２】
ところで、蒸発器８は、その蒸発器８の接続部分が小ケース部２２の分割面よりも上方に突き出すように配置され、蒸発器８の接続部分以外が小ケース部２２の分割面に沿って配置されている（図２参照）。つまり、蒸発器８は、車両前方側が下方に傾斜して小ケース部２２の空気通路２３ａに配置されている。これにより、蒸発器８のコア部で発生した結露水はドレーン口２４を介して、外部に排出される。
【００５３】
一方、配管収納部２５に配置される冷媒配管８１、８２は、一方がエンジンルーム内に搭載された受液器（図示せず）に通ずるように接続され、他方がエンジンルーム内に搭載された圧縮機（図示せず）の吸入側に通ずるように接続される。一方の冷媒配管８１に高温高圧の冷媒が流れ、他方の冷媒配管８２に低温低圧の冷媒が流れる。
【００５４】
つまり、一方の冷媒配管８１は、高温となっており、乗員が素手で触るとやけどの恐れがある。また、他方の冷媒配管８２は、低温となっており、これに湿り空気が触れると、結露水が発生する。従って、配管収納部２５に収納することにより、冷媒配管８１、８２の高温部が車室内に露出することはない。これにより、分割面に形成された膨らみ部２５ａ、２５ｂ、２５ｃにより高温部を保護することができる。
【００５５】
以上のような構成による配管収納部２５は、蒸発器８が配設される空気通路２３ａとが仕切り板２６により気密される。更に、配管収納部２５は、ダッシュパネル１７と突出部２７とにより車室内とほぼ気密される。これにより、配管収納部２５内には、湿り度の高い空気が侵入することがない。つまり、冷媒配管８１、８２に付着する結露水の発生を少なくすることができる。
【００５６】
従って、配管収納部２５に収納する膨張弁８３および冷媒配管８１、８２には、結露防止用の断熱カバーを不要とすることができる。そのため、空気層を介して膨張弁８３および冷媒配管８１、８２を覆うことのできる配管収納部２５を形成すれば良い。
【００５７】
仮に、配管収納部２５に収納された冷媒配管８１、８２から滴下した結露水が発生した場合には、配管収納部２５の車両前方側の突出部２７により、貫通孔８１ａ、８２ａおよびダッシュパネル１５の孔部１７ａから車室外に流れる。
【００５８】
更に、以上の構成の空調ユニット１は、車両のインストルメントパネルの下方部に配置される。そして、車両に配置した状態において、空調ユニット１から蒸発器８を取り外す場合は、図７に示すように、空調ケース２から小ケース部２２を取り外すことにより、蒸発器８の交換作業が容易に行うことができる。ただし、空調ケース２から小ケース部２２を取り外す場合には、予めダッシュパネル１７側のジョイント８４を外しておくことが必要である。
【００５９】
以上の構成による空調ユニット１によれば、空調ケース２内に配管収納部２５を形成することにより、膨張弁８３及び冷媒配管８１、８２が車室内に露出することなく、蒸発器８と一体的に配置できる。また、配管収納部２５には、断熱カバー不要の膨張弁８３および冷媒配管８１、８２を収納できることにより、部品点数および製造コストの低減が図れる。
【００６０】
更に、通常の配管収納部２５内では、結露水の発生が極めて少ないが、仮に配管収納部２５内に冷媒配管８１、８２から結露水が滴下しても、貫通孔８１ａ、８２ａおよびダッシュパネル１７の孔部１７ａ介して車室外に流れるため、車室内に漏れ出すことはない。
【００６１】
また、配管収納部２５および仕切り板２６は、空調ケース２に一体的に形成されていることにより、配管収納部２５および仕切り板２６を空調ケース２に容易に一体成形により形成することができる。これにより、製造コストの低減が図れる。
【００６２】
空調ケース２の空気通路の一部は、空調ケース２から着脱可能な小ケース部２２として形成されることにより、空調ユニット１への蒸発器８の取り付け、および空調ユニット１からの蒸発器８の取り外しを容易に行うことができる。
【００６３】
（他の実施形態）
以上の実施形態では、配管収納部２５に、膨張弁８３及びその膨張弁８３に接続される冷媒配管８１、８２を収納させたが、これに限らず、配管収納部２５に蒸発器８に接続される冷媒配管８１、８２を収納させても良い。この場合には、膨張弁８３は、ダッシュパネル１７よりも外部に配設される。
【図面の簡単な説明】
【００６４】
【図１】一実施形態における空調ユニットの全体構成を示す模式図である。
【図２】一実施形態における車両に搭載される空調ユニットの概略構成を示す側面図である。
【図３】一実施形態における車両に搭載される空調ユニットの概略構成を示す正面図である。
【図４】図２に示すＡ−Ａ部分断面図である。
【図５】図２に示すＢ矢視図である。
【図６】一実施形態における小ケース部の構成を示す平面図である。
【図７】一実施形態における蒸発器を小ケース部に取り付けたときの空調ユニットの分解構成図である。
【符号の説明】
【００６５】
２…空調ケース
６…送風機（送風手段）
８…蒸発器
１７…ダッシュパネル
２２…小ケース部
２３ａ…空気通路
２５…配管収納部
２６…仕切り板
２７…突出部
８１、８２…冷媒配管
８１ａ、８２ａ…貫通孔
８３…膨張弁
【図１】
0004957437.tif 000002
【図２】
0004957437.tif 000003
【図３】
0004957437.tif 000004
【図４】
0004957437.tif 000005
【図５】
0004957437.tif 000006
【図６】
0004957437.tif 000007
【図７】
0004957437.tif 000008